(57)【特許請求の範囲】
【請求項１】
スピーチの原稿の全体が記憶され、
話されるべき上記原稿が話中に音響録音装置によって捕捉され音声認識器に供給され、
上記捕捉された、上記話されるべき原稿は上記音声認識器を用いて上記スピーチの原稿の記憶された単語又は単語の組合せと比較され、
ちょうど認識された単語又は単語の組合せを含む上記スピーチの原稿の少なくとも一つのセクションが光学表示装置により表示され、該表示は、少なくとも、上記記憶された単語又は単語の組合せの幾つかが認識されるたびに更新され、
スピーチを話す人によって作動装置が操作される場合に、夫々表示される原稿のセクションの大きさは変わることを特徴とする、スピーチの原稿に依存して機能を自動的に制御する方法。
【請求項２】
上記スピーチの原稿中で上記単語又は単語の組合せが出現する順番が記憶され、
上記スピーチの原稿の上記記憶された単語又は単語の組合せの一つが認識されるとき、上記順番を考慮して、上記認識された単語又は単語の組合せが、上記スピーチの原稿の直前に認識された単語又は単語の組合せに続くべき所定の単語又は単語の組合せであるか否かが確認されることを特徴とする請求項１記載の方法。
【請求項３】
各認識された単語又は単語の組合せは、上記原稿のセクションが表示されているときマークを付されていることを特徴とする請求項１記載の方法。
【請求項４】
スピーチの原稿の全体を入力する手段と、
上記スピーチの原稿の全体を記憶するメモリと、
スピーチ中に上記スピーチの原稿を捕捉する音響録音装置と、
音声認識システムを含んで、上記捕捉したスピーチの原稿を上記スピーチの原稿の記憶された単語又は単語の組合せと比較する手段と、
ちょうど認識された単語又は単語の組合せを含む上記スピーチの原稿の少なくとも一つのセクションを表示する光学表示装置と、
スピーチを話す人によって、現在表示されている原稿のセクションの大きさを調節する作動装置と
を有する、スピーチの原稿に依存して機能を自動的に制御するシステム。
【請求項５】
上記作動装置は、押しボタンを有し、
上記押しボタンは、押下される度に上記認識された単語又は単語の組合せと、該認識された単語又は単語の組合せ周囲の以前に認識された他の単語又は単語の組合せ及びまだ認識されていない他の単語又は単語の組合せとを含む上記スピーチの原稿のより大きいセクションを表示するよう配置されることを特徴とする請求項４記載のシステム。
【請求項６】
上記システムを一時的に停止及び／又は始動する作動装置によって特徴付けられる請求項４又は５記載のシステム。
【発明の詳細な説明】
【０００１】
【発明の属する技術分野】
本発明は、スピーチの原稿に依存して機能を自動的に制御する方法及びシステムに関わる。
【０００２】
【従来の技術】
例えば、ニュースキャスター又は政治家のように用意された原稿を読む話し手は、夫々の原稿を紙から直接読むことが多い。これは比較的二義的であり、頁をめくった後に次の頁にあるスピーチの続きを失う危険を伴う。更に、話し手が読み続けるために何度も公衆から顔をそらさなくてはならない点で不都合がある。合図のリストを作り、この合図のリストを用いて演説を行い、従って、この合図のリストが記載されている紙をしばしば見なくてはならない話し手に関しても同様のことがいえる。パフォーマンスの枠内で用意された原稿を話すか歌う多くの他の場合、パフォーマーは夫々の原稿を暗記しなくてはならない。役者夫々が原稿を学ぶ訓練をされているが、しばしば望ましくない短い空白の時間が生じることがある。
【０００３】
これを克服するためには、人が公衆を見る方向の近傍に設置されているモニタ上に各々の人に原稿を表示する可能性がある。原稿を十分に大きく且つ十分に判読しやすく表示するためには、表示される情報は原稿全体のうちの比較的限られたセクションに制限される。原稿が続く間、表示されるセクションは定期的に更新され、即ち、原稿はモニタ上で連続的或いは周期的にスクロールされる。原則として、これは、人夫々が合わすべき一定速度で行われる。個々に進めることを望む場合、別の人がディスプレイを操作するか、人の注意をそらし、公衆にも気付かれる場合があるがスイッチ或いは押しボタンを介して夫々表示された原稿を話し手自身で進める機会が話し手に与えられるべきである。
【０００４】
スピーチ又は歌の途中で別の機能が行われるべきある瞬間、例えば、ある照明が停止され、部屋が暗くされ、フィルムが録画され、「フォイルが取り換えられる」、又は、コンピュータ支援プレゼンテーション中にピクチャが変えられ若しくはフェード・インされる場合に同じ問題が生ずる。ここでも、話し手自身がこの仕事を引き受けるか、スピーチ全体を正確に知っている、若しくは、スピーチしているとき気が散るが話し手から指示を受ける別のスタッフが必要となる。
【０００５】
【発明が解決しようとする課題】
本発明は、この最新技術の代わりのものを提供することを目的とする。
【０００６】
【課題を解決するための手段】
この目的は、請求項１記載の方法及び請求項６記載のシステムによって実現される。従属項は、特に、有利な実施例及び、本発明による方法並びに本発明によるシステムの改良されたものを記載する。
【０００７】
本発明によると、最初に、即ち、スピーチの前に、スピーチの原稿の単語又は単語の組合せの大部分が記憶される。更に、スピーチ中、話されるべき原稿が音響録音装置、例えば、マイクロホンによって捕捉され音声認識器に供給される。この音声認識器を用いて、捕捉されたスピーチの原稿は、記憶された単語又は単語の組合せと比較される。スピーチの原稿の少なくとも幾つかの記憶された単語又は単語の組合せが認識されるとき、定められた、例えば、所定の機能が自動的に作動する。これらの機能は、一方で話し手のためにスピーチの原稿をセクションで表示するようスクロールすることであり、他方で、点灯、暗転等のような機能でもよい。
【０００８】
記憶された単語は、例えば、スピーチの原稿全体、及び、話されるべき原稿に順次的に与えられる合図のリストでもよい。つまり、本発明による方法及びシステムは、合図のリストだけで動くアドリブで話す話し手にも好適である。単語の組合せは、例えば、文章或いは文章の一部分でもよい。単語の組合せは、例えば、決まった文章の結束性を示し、スピーチ中に所定の箇所である文章中に出てくる単一の合図でもよい。例えば、二義的な意味「総売上高」「利益」「１９９９」及び「２０００」は、種々の組合せについて、これら単語の決まった組合せが生ずるときに実行される夫々異なる機能を有するよう、使用され得る。このようにして、例えば、「利益」と「２０００」、「利益」と「１９９９」並びに「総売上高」と「２０００」の組合せが生ずると例えば、異なるグラフが公衆に自動的に示される。
【０００９】
このような方法を実行するシステムは、スピーチの原稿の単語又は単語の組合せの殆どを入力する手段を最初に必要とする。これら手段は、例えば、終了したスピーチをＰＣから伝送するインタフェース、フロッピーディスクドライブのようなデータ担体読み取り器、又はキーボード等でもよい。更に、スピーチの原稿の単語又は単語の組合せ夫々が記憶されるメモリがシステムに必要である。データ担体読み取り器が使用されるとき、挿入されるデータ担体もメモリとして使用され得る。
【００１０】
更に、音響録音装置、例えば、マイクロホンはスピーチ中にスピーチの原稿を捕捉するために必要である。システムは、スピーチの捕捉された原稿と、記憶された単語或いは単語の組合せとを比較する手段を更に必要とし、これら手段は音声認識システムを有する。音声認識システム自体は、例えば、システムが、ライブラリー中の許容単語として利用可能な、許容単語の「候補」としてのスピーチの原稿の記憶された単語又は単語の組合せのみを有するので、比較を行うことができる。しかしながら、これは、大きいライブラリーを有する従来の音声認識器でもよく、このとき、音声認識器によって認識された単語を記憶された単語及び単語の組合せ又は全文を記憶された原稿の単語夫々と比較する別個の比較器が音声認識の後に続く。
【００１１】
最後にシステムは、スピーチの原稿の記憶された単語又は単語の組合せが認識されたとき決まった機能を実行する手段を必要とする。これら手段は、例えば、認識された単語の周囲のスピーチの原稿のセクションを示す、夫々の制御器を有するモニタ又はプロジェクタのような光学出力装置でもよい。
【００１２】
実施例の特に有利な例では、スピーチの原稿の少なくともセクション全体（スピーチの原稿全体、夫々）がメモリに記憶される。記憶された単語又は単語の組合せのうち幾つかが認識されると、この表示は毎回更新される。つまり、別のスタッフを必要とすることなく、且つ、話し手が特別活動的に介入すること無く現在の原稿のセクションがモニタ上で常に自動的にスクロールされる。
【００１３】
これらパーソナル手段の代わりに又はこれら手段に加えて機能を実行する手段としてシステムは、決まった機能を行う制御コマンドを他の装置、例えば、スライド或いはフィルムのプロジェクタのため、又は、照明をオン及びオフに切り換えるための制御出力に伝送するインタフェースを有してもよい。同様にして、スピーチ中にプレゼンテーションプログラムを流すＰＣに接続され、適切な表示装置を介して「フォイル」を公衆に紹介することができる無線インタフェースであることも可能である。
【００１４】
スピーチの原稿に出現する単語の順番又は単語の組合せの順番が記憶されていることも好ましい。スピーチ原稿の記憶された単語又は単語の組合せの一つが認識されると、この記憶された順番を考慮して、認識された単語又は単語の組合せが、スピーチの原稿の直前に認識された単語又は単語の組合せに続くべき所定の単語又は単語の組合せであるか否かが確認される。つまり、これら単語が実際にシーケンス中で後続し合えるか否かが更に確認される。この場合のみ決められた機能が作動する。正確に認識されていない可能性がある単語によりシステム全体がオフにされることを回避するために、直前及び直後の単語だけでなく、更に先行又は後続するものも考慮すべきである。つまり、時々決まった単語がスキップされる。
【００１５】
実施例の好ましい例では、システムは、認識された単語の周囲の現在表示されている原稿のセクションの大きさを設定する好適な作動装置、例えば、ボタン又はスイッチを更に有する。この作動装置は、話し手のために簡単なボタンを有することが好ましく、このボタンは押下する度に認識された単語又は単語の組合せの周囲のスピーチの原稿のより大きいセクションが表示されるよう接続される。このような「パニック・ボタン」は、正確に認識されたスピーチの最後の部分のより大きいセクションを表示させ、認識エラー又は言い間違えた後に続きを見つける助けとなる。大きい文字で表示されたより小さいセクションに戻すよう切り換えることは、音声認識システムによって再びある単語の順番が一旦認識されると行われ得る。決まった期間後又は更なる作動装置を介してセクション表示の大きさを戻すことも可能である。
【００１６】
システムを一時的に停止及び／又は始動する簡単な作動装置を有することも有利である。このような一時停止の押しボタンを手段として、人は、前に記憶されていないスピーチの部分を自発的に組み込み、この時間中システム全体が一時停止し従って機能を誤って作動させない。
【００１７】
【発明の実施の形態】
本発明は、添付の図面を参照して以下に更に説明する。
【００１８】
図示する実施例では、システムはマイクロホン３及びモニタ５が接続されている装置１１を最初に示す。この装置１１は、フロッピーディスクドライブ１並びにキーボード９を有する。更に、この装置１１は、ディスプレイスクリーン制御器６、音声認識ユニット４、メモリ２、及び、中央処理ユニット７を有する。全ての更なる構成要素は、この中央処理ユニット７と通信し、従って、この中央処理ユニット７を介して互いと通信する。マイクロホン３は、本実施例では、音声認識装置４に夫々の入力（図示せず）を通じて直接的に接続される。
【００１９】
本発明による方法を実行するためには、スピーチの原稿全体はスピーチする前にフロッピーディスクに記憶され、フロッピーディスクドライブ１及び処理ユニット７を介してメモリ２に記憶される。使用される言語のような更なるパラメータがキーボード９を介して音声認識システム４に情報として供給され得る。更に、追加の制御コマンド、例えば、どの単語で特別な機能が行われるべきかがこのキーボード９によって明確にされ得る。或いは、この情報はあるフォーマットで原稿と一緒にフロッピーディスクに記憶されてもよい。
【００２０】
人によって供給される音響音声信号Ｓは、話中にマイクロホンによって捕捉され、音声認識ユニット４に伝送される。この音声認識ユニット４は、メモリ２に記憶されるスピーチの原稿、又は、メモリに記憶される単語又は単語の組合せだけが検索され、対応する二義的な意味だけが認識されるよう処理ユニット７によって設定される。限られたコンテクストに減少された音声認識は、より大量のコンテクストを有し、従って、認識される可能性が高いより多数の単語及び文章を有する音声認識よりも通常より早く動作し、より信頼性がある。
【００２１】
記憶された原稿は、処理ユニット７及びピクチャスクリーン制御器６を介してモニタ５上にセクション毎に表示され、毎回最後に認識された夫々の単語の周囲の原稿のセクションが表示される。認識された単語又は単語の組合せ夫々は、原稿のセクションが表示されているとき色付きで或いはイタリック体で記され、それにより話し手は常に原稿のどのあたりを読んでいるかを見ることができる。決まった単語が認識されると、話し手が最後に話した単語の周囲の原稿のセクションが常に表示されるようモニタ５上のカーソルが自動的に更新、即ち、オンに切り換えられる。決まった単語がキーワードとして使用され得、即ち、これら特別な単語でだけディスプレイは切り換えられる。これら単語は、一方で所定でもよい。しかし、他方で、これら単語は現在表示している原稿のセクションの位置によって定められてもよい。例えば、表示が更新されるとき、常に、少し前に表示された原稿のセクションの最後の行の第１の又は第２の単語でもよい。
【００２２】
別の設定では、各記憶された単語はこのような制御単語であり、即ち、例えば、セクションは一つの単語が認識される度に一つの単語だけ進められる。スピーチの原稿が完全に記憶されているとき、原稿は絶えずスクロールされ、速度は話し手のスピーチを介して話し手自身によって決められる。つまり、話し手が自身の話す速度をディスプレイに合わせるのでなく、ディスプレイが現在の話し手の速度に合わせる。
【００２３】
更に、「パニック・ボタン」８が処理ユニット７に接続されている。起こり得る認識エラー又は言い間違えた後に人が続きを容易に見つけることができないとき、人はこのパニック・ボタンを押すことによって最近認識されたスピーチの原稿のより大きいセクションをモニタ５上に表示することができ、それにより人はスピーチをより簡単に再開することができる。
【００２４】
処理ユニット７は、複数の制御出力１０を更に有する。任意の他の装置、例えば、スライドプロジェクタ或いはフィルムプロジェクタ、暗くする装置等がこれら制御出力１０に接続され得る。制御出力１０は、接続された装置の一つがある機能を行うべきときすぐに接続された装置に夫々の所定の制御命令を供給する。これら制御命令は、音声認識システム４によって予め定められたキーワードがスピーチ中に認識されるとき与えられる。
【００２５】
ここでは、装置１１は、様々な個々の構成要素をケーシングの中に有するコンパクトな装置として示される。或いは、システムは、相応じて相互に結合された別個のケーシングの中に様々なこのような個々の構成要素を有してもよい。幾つかの表示した構成要素、例えば、音声認識システム４を適切なコンピュータのソフトウェアの形態で実現することも可能である。このとき装置１１自体は例えば、コンピュータである。処理ユニット７は、従って、例えば、ＣＰＵによって形成され、音声認識ユニットはこのＣＰＵの中、又は、ソフトウェアの形態で別のパラレルプロセッサの中で実現されてもよい。ピクチャスクリーン制御ユニット６は、例えば、モニタ５のための夫々のドライバソフトウェアを有する従来のグラフィックスカードでもよい。このようなコンピュータは、通常キーボード或いはこのための接続を夫々通常含み、フロッピーディスクドライブ、適切なメモリ、及び、マウスのような作動装置を接続する夫々のシリアル及びパラレル制御出力及び入力を通常含む。これら入力は、「パニック・ボタン」を接続するために使用され得る。
【００２６】
本発明の結果として、話し手、ニュースキャスター、歌手、アンカーマン、役者等のようなどのタイプのパフォーマーの仕事も容易化する、新しい音声認識に基づく支援が利用できるようになる。このようなイベントでは通常（例えば、話し手のために特別に作られた接話マイクロホンのような）良い音響状態であり、話し手がしばしば言語的に訓練されており、更に、認識されるべき原稿（又は単語或いは単語の組合せ夫々）が既に既知であると推測できるため、本発明に必要な音声認識システムが丈夫で高速に動作し得ることが保証される。
【図面の簡単な説明】
【図１】本発明に重要な構成要素を有する、本発明によるシステムの構造を示す図である。
【符号の説明】
１  フロッピーディスクドライブ
２  メモリ
３  マイクロホン
４  音声認識ユニット
５  モニタ
６  ディスプレイスクリーン制御器
７  中央処理ユニット
８  パニック・ボタン
９  キーボード
１０  制御出力
１１  装置
【図１】
0004649082.tif 000002